【手続補正書】
【提出日】平成23年11月14日(2011.11.14)
【手続補正１】
【補正対象書類名】特許請求の範囲
【補正対象項目名】全文
【補正方法】変更
【補正の内容】
【特許請求の範囲】
【請求項１】
直流電源で生成される直流電力を交流電力に変換して電力系統に供給するインバータ回路をＰＷＭ制御するためのインバータ制御回路であって、
前記インバータ回路の出力電流から無効分電流を算出する無効分電流算出手段と、
系統電圧と目標系統電圧との偏差から系統電圧補正値を算出する系統電圧補正値算出手段と、
前記系統電圧補正値から目標無効分電流を算出して出力する算出手段と、
前記無効分電流算出手段によって算出された無効分電流と前記算出手段から出力される目標無効分電流との偏差から無効分電流補正値を算出する無効分電流補正値算出手段と、
前記無効分電流補正値から指令値信号を生成する指令値信号生成手段と、
前記指令値信号に基づいてＰＷＭ信号を生成するＰＷＭ信号生成手段と、
を備えており、
前記算出手段は、前記系統電圧補正値と前回の目標無効分電流との間の値を前記目標無効分電流として算出する、
ことを特徴とするインバータ制御回路。
【請求項２】
前記直流電源の直流電圧とその目標電圧とから、前記インバータ回路の出力電圧信号の角周波数と前記電力系統の系統電圧信号の角周波数との必要な角周波数差を算出する角周波数差算出手段と、
前記系統電圧信号の角周波数を検出する角周波数検出手段と、
を備え、
前記指令値信号生成手段は、前記角周波数検出手段によって検出された角周波数に前記角周波数差を加算した修正角周波数と前記無効分電流補正値とから指令値信号を生成する、
請求項１に記載のインバータ制御回路。
【請求項３】
前記角周波数差算出手段は、
前記直流電源の直流電圧と前記目標電圧との偏差に基づいてフィードバック制御を行って直流電圧補正値を算出する直流電圧補正値算出手段と、
前記直流電圧補正値算出手段によって算出された直流電圧補正値に所定値を乗じて前記角周波数差を算出する乗算手段と、
を備えており、
前記所定値は、前記目標電圧に乗算した積が前記系統電圧信号の角周波数と一致するように設定されている、
請求項２に記載のインバータ制御回路。
【請求項４】
前記角周波数検出手段はＰＬＬ回路である、請求項２または３に記載のインバータ制御回路。
【請求項５】
前記指令値信号生成手段は、前記修正角周波数を角周波数とする正弦波を生成する、請求項２ないし４のいずれかに記載のインバータ制御回路。
【請求項６】
請求項１ないし５のいずれかに記載のインバータ制御回路を備えている系統連系インバータシステム。
【請求項７】
コンピュータを、
直流電源で生成される直流電力を交流電力に変換して電力系統に供給するインバータ回路をＰＷＭ制御するためのインバータ制御回路として機能させるためのプログラムであって、
前記コンピュータを、
前記インバータ回路の出力電流から無効分電流を算出する無効分電流算出手段と、
系統電圧と目標系統電圧との偏差から系統電圧補正値を算出する系統電圧補正値算出手段と、
前記系統電圧補正値から目標無効分電流を算出して出力する算出手段と、
前記無効分電流算出手段によって算出された無効分電流と前記算出手段から出力される目標無効分電流との偏差から無効分電流補正値を算出する無効分電流補正値算出手段と、
前記無効分電流補正値から指令値信号を生成する指令値信号生成手段と、
前記指令値信号に基づいてＰＷＭ信号を生成するＰＷＭ信号生成手段と、
して機能させ、
前記算出手段は、前記系統電圧補正値と前回の目標無効分電流との間の値を前記目標無効分電流として算出する、
ことを特徴とするプログラム。
【請求項８】
請求項７に記載のプログラムを記録したコンピュータ読み取り可能な記録媒体。
【手続補正２】
【補正対象書類名】明細書
【補正対象項目名】００１０
【補正方法】変更
【補正の内容】
【００１０】
本発明の第１の側面によって提供されるインバータ制御回路は、直流電源で生成される直流電力を交流電力に変換して電力系統に供給するインバータ回路をＰＷＭ制御するためのインバータ制御回路であって、前記インバータ回路の出力電流から無効分電流を算出する無効分電流算出手段と、系統電圧と目標系統電圧との偏差から系統電圧補正値を算出する系統電圧補正値算出手段と、前記系統電圧補正値から目標無効分電流を算出して出力する算出手段と、前記無効分電流算出手段によって算出された無効分電流と前記算出手段から出力される目標無効分電流との偏差から無効分電流補正値を算出する無効分電流補正値算出手段と、前記無効分電流補正値から指令値信号を生成する指令値信号生成手段と、前記指令値信号に基づいてＰＷＭ信号を生成するＰＷＭ信号生成手段と、を備えており、前記算出手段は、前記系統電圧補正値と前回の目標無効分電流との間の値を前記目標無効分電流として算出する、ことを特徴とする。
【手続補正３】
【補正対象書類名】明細書
【補正対象項目名】００１８
【補正方法】変更
【補正の内容】
【００１８】
本発明の第３の側面によって提供されるプログラムは、コンピュータを、直流電源で生成される直流電力を交流電力に変換して電力系統に供給するインバータ回路をＰＷＭ制御するためのインバータ制御回路として機能させるためのプログラムであって、前記コンピュータを、前記インバータ回路の出力電流から無効分電流を算出する無効分電流算出手段と、系統電圧と目標系統電圧との偏差から系統電圧補正値を算出する系統電圧補正値算出手段と、前記系統電圧補正値から目標無効分電流を算出して出力する算出手段と、前記無効分電流算出手段によって算出された無効分電流と前記算出手段から出力される目標無効分電流との偏差から無効分電流補正値を算出する無効分電流補正値算出手段と、前記無効分電流補正値から指令値信号を生成する指令値信号生成手段と、前記指令値信号に基づいてＰＷＭ信号を生成するＰＷＭ信号生成手段と、して機能させ、前記算出手段は、前記系統電圧補正値と前回の目標無効分電流との間の値を前記目標無効分電流として算出する、ことを特徴とする。
【手続補正４】
【補正対象書類名】明細書
【補正対象項目名】００３３
【補正方法】変更
【補正の内容】
【００３３】
図２は、ＰＬＬ回路１４の一例を説明するための図である。ＰＬＬ回路１４は、αβ変換回路１４１、ｄｑ変換回路１４２、ＰＩ制御回路１４３、ＶＣＯ(Voltage Controlled Oscillator)回路１４４を備えている。αβ変換回路１４１は、系統電圧センサＡ８より入力される３相の電圧信号Ｖu、Ｖv、Ｖwを２相の電圧信号Ｖα、Ｖβに変換するものである。ｄｑ変換回路１４２は、αβ変換回路１４１から電圧信号Ｖα、Ｖβが入力され、ＶＣＯ回路１４４から位相θが入力される。ｄｑ変換回路１４２は、電圧信号Ｖα、Ｖβの位相θとの位相差成分Ｖdと同相成分Ｖqとを算出する。ＰＩ制御回路１４３は、位相差成分ＶdがゼロとなるようにＰＩ制御を行ない、補正値を出力する。この補正値を系統電圧信号の目標角周波数ωs*に加算した角周波数ω0が、ＶＣＯ回路１４４に出力される。ＶＣＯ回路１４４は、入力に応じた位相θをｄｑ変換回路１４２に出力する。このフィードバック制御により、位相差成分Ｖdがゼロになったところでロックされる。このとき、位相θが系統電圧の位相と一致する。したがって、ＰＬＬ回路１４から出力される角周波数ω0は、系統電圧信号の角周波数と一致することになる。
【手続補正５】
【補正対象書類名】明細書
【補正対象項目名】００３８
【補正方法】変更
【補正の内容】
【００３８】
指令値信号生成回路３１は、ＰＬＬ回路１４が検出する系統電圧信号の角周波数ω0に乗算器１３から出力される角周波数差Δωを加算した修正角周波数（ω0＋Δω）、およびＰＩ制御回路２３が出力する補正値が入力され、指令値信号を生成するものである。具体的には、指令値信号生成回路３１は、入力される修正角周波数（ω0＋Δω）を時間ｔで積分したものを位相とし、入力される補正値に基づいて振幅を変化された正弦波を生成する。指令値信号生成回路３１は、この正弦波をＵ相の指令値信号として、ＰＷＭ信号生成回路３２に出力する。また、指令値信号生成回路３１は、Ｕ相の指令値信号より位相が（１/３）π遅れた正弦波をＶ相の指令値信号として、（２/３）π遅れた正弦波をＷ相の指令値信号として、ＰＷＭ信号生成回路３２に出力する。